(57)【要約】      （修正有）【課題】内部にモータ及びファンを設けた携帯用掃除機の騒音低減を図る。【解決手段】携帯用掃除機のモータモジュールは、モータと、ファンと、モータおよびファンを内部に収容する筐体とを有する。筐体は、筒状の本体部２１と、吸気口２１１と、排気口２１２と、モータ配置部と、流路４０と、仕切部とを有する。流路は、本体部の内部において、吸気口と排気口とを繋ぐ空間である。仕切部は、流路の内部に配置され、流路を仕切る。流路は、ファン収容部を含む。仕切部は、ファン収容部とモータ配置部とを仕切る第１中央仕切部５４１を含む。第１中央仕切部は、第１中央仕切部の少なくとも一部に設けられた切欠部５４０を有する。モータ配置部は、切欠部を介してファン収容部と連通する。モータ配置部の流路断面積は、第１中央仕切部の流路断面積よりも大きい。これにより、ファンにおいて発生する広範囲の周波数帯域の騒音を効率良く低減できる。【選択図】図４
2019044724.tif 000002
【特許請求の範囲】
【請求項１】
回転軸を中心として回転する回転部を有するモータと、
前記モータの軸方向一方側に配置され、前記回転部とともに回転するファンと、
前記モータおよび前記ファンを内部に収容する筐体と、
を有し、
前記筐体は、
軸方向に延びる筒状の本体部と、
前記ファンの軸方向一方側に配置された吸気口と、
前記ファンの軸方向他方側かつ前記モータの径方向外側に配置された排気口と、
前記モータが配置されるモータ配置部と、
前記本体部の内部において、前記吸気口と前記排気口とを繋ぐ空間である流路と、
前記流路の内部に配置され、前記流路を仕切る１または複数の仕切部と、
を有し、
前記流路は、
前記ファンが収容され、前記吸気口と直接連通するファン収容部
を含み、
前記仕切部は、
前記ファン収容部と前記モータ配置部とを仕切る第１中央仕切部
を含み、
前記第１中央仕切部は、
前記第１中央仕切部の少なくとも一部に設けられた切欠部
を有し、
前記モータ配置部は、前記切欠部を介して前記ファン収容部と連通する、モータモジュール。
【請求項２】
請求項１に記載のモータモジュールであって、
前記切欠部は、前記回転軸の径方向外側に位置する、モータモジュール。
【請求項３】
請求項１または請求項２に記載のモータモジュールであって、
前記筐体は、
一体に形成された第１筐体と、
一体に形成された第２筐体と、
により構成され、
前記第１筐体と前記第２筐体とは、前記回転軸を通る平面において互いに接触する接触面を有する、モータモジュール。
【請求項４】
請求項３に記載のモータモジュールであって、
前記第１筐体は、前記平面から前記第２筐体側へ突出する凸部を有し、
前記第２筐体は、前記平面から凹む凹部を有し、
前記凸部は、前記凹部に嵌め込まれる、モータモジュール。
【請求項５】
請求項３または請求項４に記載のモータモジュールであって、
前記第１中央仕切部は、前記第１筐体および前記第２筐体において、それぞれ前記本体部の内壁から内部へ突出し、
前記切欠部は、それぞれの前記第１中央仕切部における、前記ファンの回転方向に沿った上流側に設けられている、モータモジュール。
【請求項６】
請求項１ないし請求項５のいずれかに記載のモータモジュールであって、
前記仕切部は、さらに
前記モータ配置部を軸方向に仕切る第２中央仕切部
を含み、
前記第２中央仕切部は、
前記第２中央仕切部の少なくとも一部に設けられた第２切欠部
を有し、
前記モータ配置部における前記第２中央仕切部の軸方向一方側の空間は、前記第２切欠部を介して前記モータ配置部における前記第２中央仕切部の軸方向他方側の空間と連通する、モータモジュール。
【請求項７】
請求項６に記載のモータモジュールであって、
前記第２切欠部は、前記第１中央仕切部を形成している板状の部材と軸方向に重なる、モータモジュール。
【請求項８】
請求項１ないし請求項７のいずれかに記載のモータモジュールであって、
前記第１中央仕切部は、
前記切欠部の周縁部から軸方向他方側へ向けて突出する第１ガイド部
をさらに有する、モータモジュール。
【請求項９】
請求項６および請求項７に記載のモータモジュールであって、
前記第２中央仕切部は、前記本体部の内壁から内部へ突出し、
前記第２切欠部は、前記本体部の内部における前記第２中央仕切部と前記本体部の内壁との接続箇所よりも内部側に位置する、モータモジュール。
【請求項１０】
請求項３または請求項４に記載のモータモジュールであって、
前記仕切部は、さらに
前記モータ配置部を軸方向に仕切る第２中央仕切部
を含み、
前記第２中央仕切部は、前記第１筐体および前記第２筐体において、それぞれ前記本体部の内壁から内部へ突出し、さらに
それぞれの前記第２中央仕切部の少なくとも一部に設けられた第２切欠部
を有し、
それぞれの前記第２切欠部の、軸方向に見たときの形状はＵ字状である、モータモジュール。
【請求項１１】
請求項３または請求項４に記載のモータモジュールであって、
前記仕切部は、さらに
前記モータ配置部を軸方向に仕切る第２中央仕切部
を含み、
前記第２中央仕切部は、前記第１筐体および前記第２筐体において、それぞれ前記本体部の内壁から内部へ突出し、さらに
それぞれの前記第２中央仕切部の少なくとも一部に設けられた第２切欠部
を有し、
それぞれの前記第２切欠部は、それぞれの前記第２中央仕切部における、前記ファンの回転方向に沿った下流側に設けられている、モータモジュール。
【請求項１２】
請求項１ないし請求項１１のいずれかに記載のモータモジュールであって、
前記流路は、さらに
前記ファン収容部と第１連通路を介して連通する第１消音室と、
前記第１消音室と第２連通路を介して連通し、かつ、前記排気口と直接または間接的に連通する第２消音室と、
を含み、
前記排気口は、前記第２消音室に位置し、かつ、前記筐体の外部に連通する貫通孔であり、
前記モータ配置部は、前記第２消音室と第３連通路を介して連通し、かつ、前記排気口と間接的に連通する第３消音室を形成している、モータモジュール。
【請求項１３】
請求項１ないし請求項１１のいずれかに記載のモータモジュールであって、
前記排気口は、前記モータ配置部に位置し、かつ、前記筐体の外部に連通する貫通孔であり、
前記モータ配置部は、前記排気口と直接的に連通する第３消音室を形成している、モータモジュール。
【請求項１４】
請求項１２に記載のモータモジュールであって、
前記第１連通路を軸方向一方側から見た形状は、１つの直線と１つの円弧とにより閉じられた形状である、モータモジュール。
【請求項１５】
吸気ヘッドと、
気流中に含まれる粉塵と前記気流とを分離する粉塵分離部と、
請求項３または請求項４に記載のモータモジュールと、
を有し、
前記筐体は、
前記平面に対して略対称形状の取っ手
を有し、
前記モータモジュールは、前記吸気ヘッドおよび前記粉塵分離部を介して前記吸気口へと気体を吸引するとともに、前記気体を前記排気口から排出する、ハンディ型、アップライト型またはスティック型の掃除機。
【請求項１６】
吸気ヘッドと、
気流中に含まれる粉塵と前記気流とを分離する粉塵分離部と、
前記吸気ヘッドと前記粉塵分離部とを繋ぐホース部と、
請求項１ないし請求項１４のいずれかに記載のモータモジュールと、
を有し、
前記モータモジュールは、前記吸気ヘッド、前記ホース部および前記粉塵分離部を介して前記吸気口へと気体を吸引するとともに、前記気体を前記排気口から排出する、キャニスタ型の掃除機。
【発明の詳細な説明】
【技術分野】
【０００１】
本発明は、モータモジュールと、モータモジュールを有する掃除機とに関する。
【背景技術】
【０００２】
従来、掃除機等の吸引力を必要とする装置には、モータおよびファンが搭載されている。近年、集合住宅の増加等を背景に、掃除機内のファンの回転によって生じる気流がもたらす騒音の抑制が進められている。モータおよびファンを搭載する掃除機の静音化については、例えば、特開２０１１−３０７７７号公報および特開２０１２−１２０６３４号公報に記載されている。
【特許文献１】特開２０１１−３０７７７号公報
【特許文献２】特開２０１２−１２０６３４号公報
【発明の概要】
【発明が解決しようとする課題】
【０００３】
特開２０１１−３０７７７号公報の掃除機は、本体ケースの内部において、電動送風機からの排気圧力に応じて風路の開閉を行う。そして、共鳴型の消音器と拡張型の消音器とを切り替えつつ形成することによって、騒音を低減する。しかしながら、当該公報の構造では、共鳴型の消音器と拡張型の消音器とを切り替えるための機構を含むため、構造が複雑化する。このため、部品点数が増加し、コストが増える虞がある。また、組み立て工程が複雑化し、生産効率が下がる虞がある。
【０００４】
特開２０１２−１２０６３４号公報のハンディクリーナは、ハウジング内の、吸塵口およびファンユニットから形成される送風機構と対向する直方体形状の側壁に、円形孔が設けられている。円形孔は、ハウジング内と、ハウジングの半割り成形品を合体させて形成された共鳴室とを連通する。これにより、ヘルムホルツ型の共鳴器を形成することによって、送風機構から生じる騒音を低減する。しかしながら、当該公報の構造では、共鳴型の消音器は特定周波数の騒音のみを低減するため、掃除機の駆動により生じる広範囲の周波数帯域の騒音を低減できない虞がある。
【０００５】
本発明の目的は、モータおよびファンを有する掃除機のモータモジュールにおいて、部品点数を抑えつつ、広範囲の周波数帯域の騒音を低減できる構造を提供することである。
【課題を解決するための手段】
【０００６】
本願の例示的な第１発明は、回転軸を中心として回転する回転部を有するモータと、前記モータの軸方向一方側に配置され、前記回転部とともに回転するファンと、前記モータおよび前記ファンを内部に収容する筐体と、を有し、前記筐体は、軸方向に延びる筒状の本体部と、前記ファンの軸方向一方側に配置された吸気口と、前記ファンの軸方向他方側かつ前記モータの径方向外側に配置された排気口と、前記モータが配置されるモータ配置部と、前記本体部の内部において、前記吸気口と前記排気口とを繋ぐ空間である流路と、前記流路の内部に配置され、前記流路を仕切る１または複数の仕切部と、を有し、前記流路は、前記ファンが収容され、前記吸気口と直接連通するファン収容部を含み、前記仕切部は、前記ファン収容部と前記モータ配置部とを仕切る第１中央仕切部を含み、前記第１中央仕切部は、前記第１中央仕切部の少なくとも一部に設けられた切欠部を有し、前記モータ配置部は、前記切欠部を介して前記ファン収容部と連通する、モータモジュールである。
【発明の効果】
【０００７】
本願の例示的な第１発明によれば、モータモジュールの内部の、吸気口と直接連通するファン収容部とモータが配置されるモータ配置部とを仕切る第１中央仕切部の少なくとも一部に、切欠部が設けられている。モータ配置部が切欠部を介してファン収容部と連通することによって、拡張型消音器が形成される。これにより、部品点数を抑えつつ、広範囲の周波数帯域の騒音を効率良く低減できる。
【図面の簡単な説明】
【０００８】
【図１】図１は、第１実施形態に係る掃除機の側面図である。
【図２】図２は、第１実施形態に係るモータモジュールの断面図である。
【図３】図３は、第１実施形態に係る筐体の断面図である。
【図４】図４は、第１実施形態に係る筐体の本体部の断面図である。
【図５】図５は、第１実施形態に係るモータモジュールの部分断面斜視図である。
【図６】図６は、第１実施形態に係るモータモジュールのＡ−Ａ断面図である。
【図７】図７は、第１実施形態に係る筐体の本体部の断面斜視図である。
【図８】図８は、第１実施形態に係る第１中央仕切部を軸方向一方側から見た平面図である。
【図９】図９は、第１実施形態に係る第１中央仕切部における第１切欠部の有無および位置と、掃除機の吸引力および空気力学的動力との関係を解析した結果を示す図である。
【図１０】図１０は、変形例に係る筐体の断面図である。
【図１１】図１１は、変形例に係る筐体の本体部の断面図である。
【発明を実施するための形態】
【０００９】
以下に、モータモジュールを有する掃除機の例を開示する。なお、本開示では、後述するモータの回転軸と平行な方向を「軸方向」、モータの回転軸に直交する方向を「径方向」、モータの回転軸を中心とする円周に沿う方向を「周方向」、とそれぞれ称する。また、本開示では、後述する充電池に対して後述する取っ手部側を上として、各部の形状および位置関係を説明する。ただし、この上下方向の定義により、モータモジュールの製造時および使用時の向きを限定する意図はない。また、本開示において「平行な方向」とは、略平行な方向も含む。また、本開示において「直交する方向」とは、略直交する方向も含む。
【００１０】
＜１．第１実施形態＞
＜１−１．掃除機の構成＞
図１は、第１実施形態に係る掃除機１の側面図である。図１に示すとおり、掃除機１は、モータモジュール１０と、粉塵分離部１１と、ノズル１２とを有する。掃除機１は、所謂ハンディ型の掃除機である。
【００１１】
図２は、モータモジュール１０の断面図である。図２に示すとおり、モータモジュール１０は、筐体２０と、モータ３１と、ファン３２と、充電池３３とを有する。
【００１２】
筐体２０は、モータ３１、ファン３２および充電池３３をそれぞれ内部に収容する。筐体２０は、吸気口２１１と後述する排気口２１２とを含む。吸気口２１１は、ファン３２の軸方向一方側に配置され、粉塵分離部１１と、ファン３２が収容される筐体２０の内部の空間とを連通する。排気口２１２は、筐体２０の側面に設けられる。また、筐体２０は、その内部に、吸気口２１１と排気口２１２とを繋ぐ空間である流路４０を形成している。筐体２０の詳細な構成については、後述する。
【００１３】
モータ３１は、ブラシレスモータである。モータ３１は、回転軸９を中心として回転する回転部を有する。ファン３２は、モータ３１の軸方向一方側に配置される。また、ファン３２は、モータ３１の回転部とともに回転する。ファン３２は、回転によって径方向外側へ向かう気流を発生させる、所謂遠心ファンである。これにより、ファン３２は、筐体２０の流路４０内に吸気口２１１から排気口２１２へと向かう気流を発生させる。充電池３３は、モータ３１に駆動電力を供給する。
【００１４】
粉塵分離部１１は、モータモジュール１０の軸方向一方側に配置される。ノズル１２は、粉塵分離部１１の軸方向一方側に配置される、吸気ヘッドである。粉塵分離部１１は、ノズル１２から吸引された気流中に含まれる粉塵およびゴミを、気流から分離する。なお、粉塵分離部１１は、紙パックにより粉塵およびゴミを分離するものであってもよいし、サイクロン・セパレータにより粉塵およびゴミを分離するものであってもよい。
【００１５】
掃除機１を駆動させると、モータ３１が駆動し、ファン３２が回転する。これに伴い、ノズル１２から、粉塵分離部１１の内部、吸気口２１１、モータモジュール１０の内部を通って、排気口２１２へと向かう気流が発生する。これにより、ノズル１２から気流とともに粉塵およびゴミが吸引される。ノズル１２から流入した気流は、粉塵分離部１１において粉塵およびゴミが取り除かれる。そして、粉塵およびゴミが取り除かれた気流は、モータモジュール１０内を通って排気口２１２から排出される。
【００１６】
＜１−２．筐体の構成＞
続いて、筐体２０の詳細な構成について説明する。以下では、後述する図３〜図６ととともに、図１および図２を適宜に参照する。
【００１７】
図３は、筐体２０の断面図である。図４は、筐体２０のうち、吸気口２１１と排気口２１２とを繋ぐ流路４０を有する部位である後述する本体部２１の断面図である。図３に示すとおり、筐体２０は、本体部２１と、取っ手部２２と、充電池収容部２３とを有する。
【００１８】
本体部２１は、軸方向に延びる筒状の部位である。本体部２１における、ファン３２の軸方向一方側には、吸気口２１１が設けられている。また、本体部２１における、ファン３２の軸方向他方側かつモータ３１の径方向外側には、排気口２１２が設けられている。排気口２１２は、筐体２０の内部と外部とを連通する貫通孔である。そして、本体部２１の内部において、吸気口２１１と排気口２１２とを繋ぐ空間である流路４０が形成されている。また、後述のとおり、本体部２１の内部には、モータ３１が配置されるモータ配置部４４が形成されている。
【００１９】
筐体２０における本体部２１の軸方向他方側には、取っ手部２２と、充電池収容部２３とが設けられている。取っ手部２２および充電池収容部２３は、例えば、図４に示す連結部材２４によって、本体部２１に連結されている。また、取っ手部２２は、充電池収容部２３よりも上側に配置される。ここで、取っ手部２２は、軸方向および上下方向に対して垂直な左右方向に貫通する取っ手穴２２１と、取っ手穴２２１の上部において軸方向に延びる把持部２２２とにより構成される。充電池収容部２３には、充電池３３が収容される。
【００２０】
さらに、筐体２０は、その内部の流路４０を含む空間を仕切る壁部５０、および仕切部６０を有する。
【００２１】
壁部５０は、筐体２０の内部の空間を、流路４０と、流路４０以外の部分とに仕切る。これにより、例えば、取っ手部２２、充電池収容部２３および充電池３３等の部位に気流が当たって、騒音が発生するのが抑制される。また、取っ手部２２、充電池収容部２３および充電池３３の形状に関わらず、流路４０内における流路抵抗や、後述する消音効果を一定に保つことができる。壁部５０は、上側壁部５１と下側壁部５２とによって構成される。上側壁部５１は、壁部５０のうち回転軸９よりも上側に位置する部位である。下側壁部５２は、壁部５０のうち回転軸９よりも下側に位置する部位である。
【００２２】
仕切部６０は、流路４０の内部に配置され、流路４０を仕切る板状の部材である。仕切部６０は、内側仕切部５３、中央仕切部５４および外側仕切部６１〜６４を有する。
【００２３】
内側仕切部５３は、筐体２０の内部に収容されているモータ３１の少なくとも一部と、本体部２１の内壁２１０との間に配置される部材である。内側仕切部５３は、軸方向に板状に延びる。また、内側仕切部５３は、軸方向一方側から見たときに、流路４０の少なくとも一部が本体部２１の内壁２１０と内側仕切部５３とによって閉じられた形状を形成するように、流路４０を仕切る。なお、内側仕切部５３は、第１内側仕切部５３１と第２内側仕切部５３２とによって構成される。第１内側仕切部５３１は、回転軸９よりも上側において軸方向に延びる部位である。第２内側仕切部５３２は、回転軸９よりも下側において軸方向に延びる部位である。
【００２４】
中央仕切部５４は、第１中央仕切部５４１と第２中央仕切部５４２とによって構成される。第１中央仕切部５４１は、モータ３１とファン３２との軸方向の間、かつ、モータ３１の回転部とファン３２との連結箇所よりも径方向外側において、径方向に拡がる板状の部位である。第１中央仕切部５４１は、後述するファン収容部４１と後述するモータ配置部４４とを軸方向に仕切る。なお、「軸方向に仕切る」とは「空間を軸方向一方側の空間と軸方向他方側の空間とに仕切る」ということを意図するものとする。第２中央仕切部５４２は、モータ３１と径方向に重なる位置、かつ、モータ３１よりも径方向外側において、径方向に拡がる板状の部位である。第２中央仕切部５４２は、後述するモータ配置部４４を軸方向に仕切る。なお、第１中央仕切部５４１と第２中央仕切部５４２を含む中央仕切部５４の詳細な構成については、後述する。
【００２５】
外側仕切部５５は、第１外側仕切部６１，６３および第２外側仕切部６２，６４を有する。第１外側仕切部６１は、第１外側板部６１１と第１外側屈曲部６１２とを有する。第１外側板部６１１は、第１中央仕切部５４１の径方向外側の端部からさらに径方向外側に拡がる。すなわち、第１外側板部６１１は、モータ３１の軸方向一方側かつファン３２の軸方向他方側において、軸方向に対して略垂直に拡がる。第１外側屈曲部６１２は、第１外側板部６１１の径方向外側の端部から軸方向他方側に延びる。第２外側仕切部６２は、第１外側仕切部６１の軸方向他方側かつ上側壁部５１の軸方向一方側において、第１内側仕切部５３１の一部から、径方向外側かつ軸方向他方側に延びる。第１外側仕切部６３は、回転軸９を境に第１外側仕切部６１を上下反転させた形状を有する。第１外側仕切部６３は、第１外側板部６３１と第１外側屈曲部６３２とを有する。第２外側仕切部６４は、回転軸９を境に第２外側仕切部６２を上下反転させた形状を有する。
【００２６】
図３および図４に示すとおり、本体部２１の内部において、壁部５０、内側仕切部５３、中央仕切部５４、および外側仕切部６１〜６４を有することによって、流路４０において、ファン３２が収容されるファン収容部４１、およびファン収容部４１から軸方向他方側に延びる上側流路４２と下側流路４３が形成される。以下に、これらの流路の詳細を説明する。
【００２７】
まず、ファン収容部４１は、筐体２０の内部かつ吸気口２１１の軸方向他方側、かつ、第１外側仕切部６１，６３および第１中央仕切部５４１の軸方向一方側に位置する。ファン収容部４１は、吸気口２１１と直接連通している。また、上述のとおり、ファン収容部４１に収容されるファン３２の回転によって径方向外側へ向かう気流が発生する。本実施形態の流路４０は、ファン３２の下流側において、上側流路４２と下側流路４３とに分岐する。上述のとおり、筐体２０の内部において、ファン収容部４１の軸方向他方側には、第１外側板部６１１，６３１および第１中央仕切部５４１が設けられている。このため、気流は、上側第１連通路４２１または下側第１連通路４３１を介して、さらに軸方向他方側へ進む。なお、上側第１連通路４２１は、第１外側仕切部６１と、本体部２１の内壁２１０との間において、軸方向に連通する空間である。下側第１連通路４３１は、第１外側仕切部６３と、本体部２１の内壁２１０との間において、軸方向に連通する空間である。
【００２８】
次に、上側第１連通路４２１の軸方向他方側には、ファン収容部４１と上側第１連通路４２１を介して連通する上側第１消音室４２２が形成されている。換言すれば、ファン収容部４１と上側第１消音室４２２とは、これらの間に配置されている第１外側仕切部６１によって、互いに軸方向に仕切られている。上側第１消音室４２２は、第１外側仕切部６１および上側第１連通路４２１の軸方向他方側、第１内側仕切部５３１の上側、本体部２１の内壁２１０の径方向内側、かつ、第２外側仕切部６２および後述する上側第２連通路４２３の軸方向一方側に位置する空間である。また、下側第１連通路４３１の軸方向他方側には、ファン収容部４１と下側第１連通路４３１を介して連通する下側第１消音室４３２が形成されている。下側第１消音室４３２は、回転軸９を境に上側第１消音室４２２を上下反転させた形状を有する。
【００２９】
上側流路４２において、上側第１連通路４２１を介して上側第１消音室４２２に到達した気流は、上側第２連通路４２３を介して、さらに軸方向他方側へ進む。上側第２連通路４２３は、第２外側仕切部６２と、本体部２１の内壁２１０との間において、軸方向に連通する空間である。また、下側流路４３において、下側第１連通路４３１を介して下側第１消音室４３２に到達した気流は、下側第２連通路４３３を介して、さらに軸方向他方側へ進む。下側第２連通路４３３は、第２外側仕切部６４と、本体部２１の内壁２１０との間において、軸方向に連通する空間である。
【００３０】
上側第２連通路４２３の軸方向他方側には、上側第１消音室４２２と上側第２連通路４２３を介して連通する上側第２消音室４２４が形成されている。上側第２消音室４２４は、第２外側仕切部６２および上側第２連通路４２３の軸方向他方側、第１内側仕切部５３１の上側、本体部２１の内壁２１０の径方向内側、かつ、上側壁部５１の軸方向一方側に位置する空間である。また、下側第２連通路４３３の軸方向他方側には、下側第１消音室４３２と下側第２連通路４３３を介して連通する下側第２消音室４３４が形成されている。下側第２消音室４３４は、回転軸９を境に上側第２消音室４２４を上下反転させた形状を有する。なお、上側第２消音室４２４および下側第２消音室４３４は、後述するモータ配置部４４に設けられている排気口２１２とそれぞれ間接的に連通する。
【００３１】
さらに、ファン収容部４１の軸方向他方側には、モータ配置部４４が形成されている。モータ配置部４４は、第１中央仕切部５４１の軸方向他方側、第１内側仕切部５３１の下側、第２内側仕切部５３２の上側、かつ、壁部５０の軸方向一方側に位置する空間である。また、上述のとおり、第２中央仕切部５４２は、モータ配置部４４を軸方向に仕切る。これにより、モータ配置部４４は、第２中央仕切部５４２よりも軸方向他方側において第３消音室４４０を形成し、第２中央仕切部５４２よりも軸方向一方側において中央消音室４４４を形成している。
【００３２】
本実施形態では、第１内側仕切部５３１の軸方向他方側の端部付近の少なくとも一部を径方向に貫通する貫通孔が設けられている。当該貫通孔によって、上側第２消音室４２４と第３消音室４４０とを連通する上側第３連通路４４１が形成されている。第３消音室４４０は、上側第２消音室４２４と上側第３連通路４４１を介して連通する。上側第２消音室４２４に到達した気流は、上側第３連通路４４１を介して第３消音室４４０へ進む。また、本実施形態では、第２内側仕切部５３２の軸方向他方側の端部付近の少なくとも一部を径方向に貫通する貫通孔が設けられている。当該貫通孔によって、下側第２消音室４３４と第３消音室４４０とを連通する下側第３連通路４４２が形成されている。第３消音室４４０は、下側第２消音室４３４と下側第３連通路４４２を介して連通する。下側第２消音室４３４に到達した気流は、下側第３連通路４４２を介して第３消音室４４０へ進む。
【００３３】
また、本実施形態では、第３消音室４４０において、上述の排気口２１２が設けられている。第３消音室４４０は、排気口２１２と直接連通する。なお、第３消音室４４０は、他の空間を介して、排気口２１２と間接的に連通してもよい。上側流路４２において上側第３連通路４４１を介して第３消音室４４０に到達した気流、および下側流路４３において下側第３連通路４４２を介して第３消音室４４０に到達した気流は、互いに合流し、排気口２１２を介してモータモジュール１０の外部へ排出される。
【００３４】
既述のとおり、モータ３１が駆動してファン３２が回転すると、ファン３２が、ファン３２の上方からファン３２の径方向外側へと向かう気流を発生させる。これにより、ファン収容部４１の内部に、吸気口２１１から第１連通路４２１，４３１を介して上側流路４２および下側流路４３へと向かう気流が発生する。そして、当該気流はそれぞれ、第１消音室４２２，４３２、第２連通路４２３，４３３、第２消音室４２４，４３４、第３連通路４４１，４４２および第３消音室４４０を通って、排気口２１２からモータモジュール１０の外へと排出される。
【００３５】
ここで、上側第１消音室４２２の流路断面積は、上側第１連通路４２１の流路断面積よりも大きい。下側第１消音室４３２の流路断面積は、下側第１連通路４３１の流路断面積よりも大きい。これにより、上側第１連通路４２１と上側第１消音室４２２、および下側第１連通路４３１と下側第１消音室４３２が、それぞれ第１拡張型消音器４０１を構成する。また、上側第２消音室４２４の流路断面積は、上側第２連通路４２３の流路断面積よりも大きい。下側第２消音室４３４の流路断面積は、下側第２連通路４３３の流路断面積よりも大きい。これにより、上側第２連通路４２３と上側第２消音室４２４、および下側第２連通路４３３と下側第２消音室４３４が、それぞれ第２拡張型消音器４０２を構成する。さらに、第３消音室４４０の流路断面積は、上側第３連通路４４１の流路断面積よりも大きい。第３消音室４４０の流路断面積は、下側第３連通路４４２の流路断面積よりも大きい。これにより、上側第３連通路４４１と第３消音室４４０、および下側第３連通路４４２と第３消音室４４０が、それぞれ第３拡張型消音器４０３を構成する。
【００３６】
なお、上側第１連通路４２１および上側第２連通路４２３は、それぞれ本体部２１の内壁２１０に沿って配置され、少なくとも一部が互いに軸方向に重なる。また、下側第１連通路４３１および下側第２連通路４３３は、それぞれ本体部２１の内壁２１０に沿って配置され、少なくとも一部が互いに軸方向に重なる。これにより、ファン３２により生じた、本体部２１の内壁２１０に沿って軸方向他方側へと向かう気流が、第１連通路４２１，４３１および第２連通路４２３，４３３に進入しやすい。すなわち、上側流路４２内の流路抵抗および下側流路４３内の流路抵抗が低くなる。したがって、モータモジュール１０全体としての送風効率を向上できる。
【００３７】
また、本実施形態では、上側第１連通路４２１、上側第２連通路４２３、下側第１連通路４３１、および下側第２連通路４３３は、それぞれ入り口を軸方向一方側から見ると三日月形状となっている（後述する図８参照）。すなわち、これらを軸方向一方側から見ると、それぞれ、１つの直線（各外側仕切部６１〜６４）と１つの円弧（本体部２１の内壁２１０）とにより閉じられた形状を有する。これにより、ファン３２の回転によって発生した気流の周方向の旋回を維持したまま、これらの連通路を介してさらに軸方向他方側へ気流を進ませることができる。この結果、筐体２０内部の空気の滞留を抑制し、効率良く排気することができる。
【００３８】
図５は、モータモジュール１０のうち、吸気口２１１と排気口２１２とを繋ぐ流路４０を有する部位の部分断面斜視図である。図６は、図２のモータモジュール１０のＡ−Ａ矢視断面図である。図５および図６に示すとおり、本実施形態の筐体２０は、筐体２０を半割した２つの部材である第１筐体７１と第２筐体７２とによって構成されている。第１筐体７１および第２筐体７２は、それぞれ一体に形成された樹脂成型品である。第１筐体７１は、回転軸９を通る平面９０において第２筐体７２と接触する接触面７１０を有する。また、第２筐体７２は、当該平面９０において第１筐体７１と接触する接触面（図示省略）を有する。筐体２０は、この平面９０に対して略対称に構成される。このため、取っ手部２２も、平面９０に対して略対称形状である。
【００３９】
このように、筐体２０を半割した２つの部材で構成することにより、モータモジュール１０の製造工程において、各部品の組み立て効率を向上できる。そして、このような半割の第１筐体７１および第２筐体７２において、壁部５０を含む大半の部位が、平面９０に対して垂直に、かつ平面９０に対して略対称形状に形成されている。これにより、第１筐体７１および第２筐体７２を射出成型により形成する場合に、金型の部品点数を少なくできる。したがって、製造コストを削減できる。なお、第１内側仕切部５３１、第２内側仕切部５３２、第１中央仕切部５４１、第２中央仕切部５４２、および各外側仕切部６１〜６４は、それぞれ第１筐体７１および第２筐体７２とは別に形成された部材で構成されていてもよい。さらに、第１中央仕切部５４１および第２中央仕切部５４２を含む仕切部６０が別途形成された後、仕切部６０がそれぞれ第１筐体７１および第２筐体７２において本体部２１の内壁２１０から内部へ突出するように接続されてもよい。
【００４０】
第１筐体７１は、平面９０から第２筐体７２側へ突出する第１凸部７１１を有する。第２筐体７２は、平面９０から凹む第１凹部７２１を有する。第１凸部７１１は、第１凹部７２１に嵌め込まれる。これにより、第１筐体７１と第２筐体７２とが安定して固定される。第１凸部７１１および第１凹部７２１は、それぞれ、筐体２０の外表面付近と、取っ手穴２２１の周囲に配置される。
【００４１】
また、第１筐体７１は、平面９０と垂直に形成されたネジ固定穴（図示せず）を有する。第２筐体７２は、平面９０と垂直に形成されたネジ保持穴（図示せず）を有する。当該ネジ保持穴（図示せず）を貫通するネジのネジ山部分は、ネジ固定穴（図示せず）にネジ止めされる。これにより、第１筐体７１と第２筐体７２とが、より安定して固定される。
【００４２】
＜１−３．中央仕切部の構成＞
続いて、中央仕切部５４の詳細な構成について説明する。以下では、後述する図７〜図９とともに、図１〜図６を適宜に参照する。
【００４３】
図７は、筐体２０の本体部２１の断面斜視図である。なお、図７では、第１中央仕切部５４１および第２中央仕切部５４２を含む本体部２１の一部を拡大して表示している。図８は、第１中央仕切部５４１を軸方向一方側から見た平面図である。図７および図８に示すとおり、第１中央仕切部５４１は、少なくとも一部に第１切欠部５４０を有する。第１中央仕切部５４１は、第１筐体７１および第２筐体７２の内壁２１０からそれぞれ内部へ突出する。第１切欠部５４０は、第１筐体７１側の第１中央仕切部５４１と、第２筐体７２側の第１中央仕切部５４１とにおいて、それぞれ設けられている。
【００４４】
モータ配置部４４は、第１切欠部５４０を介してファン収容部４１と連通する。上述のとおり、モータ配置部４４における第２中央仕切部５４２よりも軸方向一方側には、中央消音室４４４が形成されている。中央消音室４４４は、第１中央仕切部５４１の軸方向他方側、第１内側仕切部５３１の下側、第２内側仕切部５３２の上側、かつ、第２中央仕切部５４２の軸方向一方側に位置する空間である。中央消音室４４４の流路断面積は、第１切欠部５４０の流路断面積よりも大きい。これにより、第１切欠部５４０と中央消音室４４４が、第４拡張型消音器４０４を構成する。
【００４５】
また、第２中央仕切部５４２は、少なくとも一部に第２切欠部５５０を有する。第２中央仕切部５４２は、第１筐体７１および第２筐体７２の内壁２１０からそれぞれ内部へ突出する。第２切欠部５５０は、第１筐体７１側の第２中央仕切部５４２と、第２筐体７２側の第２中央仕切部５４２とにおいて、それぞれ設けられている。
【００４６】
モータ配置部４４における第２中央仕切部５４２よりも軸方向他方側には、上述の第３消音室４４０が形成されている。第３消音室４４０は、第２中央仕切部５４２の軸方向他方側、第１内側仕切部５３１の下側、第２内側仕切部５３２の上側、かつ、壁部５０の軸方向一方側に位置する空間である。第３消音室４４０は、第２切欠部５５０を介して中央消音室４４４と連通する。第３消音室４４０の流路断面積は、第２切欠部５５０の流路断面積よりも大きい。これにより、第２切欠部５５０と第３消音室４４０が、第５拡張型消音器４０５を構成する。
【００４７】
本実施形態では、ファン３２の回転によって発生した径方向外側へ向かう気流は、上述のとおり上側第１連通路４２１を介して上側第１消音室４２２へ進む、または下側第１連通路４３１を介して下側第１消音室４３２へ進むほか、他の一部が第１切欠部５４０を介してモータ配置部４４へ進む。当該中央側の流路において、第１切欠部５４０を介してモータ配置部４４に到達した気流は、モータ３１との隙間を通り、第２切欠部５５０および排気口２１２を介してモータモジュール１０の外部へ排出される。
【００４８】
既述のとおり、本実施形態では、上側流路４２と下側流路４３において、それぞれファン３２と排気口２１２との間に３つの拡張型消音器４０１，４０２，４０３が配置される。また、第１切欠部５４０および第２切欠部５５０を介して気流が流れる中央側の流路において、ファン３２と排気口２１２との間に２つの拡張型消音器４０４，４０５が配置される。これにより、ファン３２において発生した広範囲の周波数帯域の騒音を低減できる。また、簡易な構造で、かつモータ３１の配置スペースを利用して、複数の拡張型消音器を構成できるため、騒音を効率良く低減しつつ、部品点数を削減し、コストを抑えることができる。また、組立作業性を向上し、生産効率を高めることができる。
【００４９】
また、モータ３１が配置されるモータ配置部４４において第３消音室４４０および中央消音室４４４を形成することによって、モータモジュール１０の内部の限られたスペースを有効活用することができ、モータモジュール１０の大型化を抑制できる。さらに、モータ３１の付近において気流が発生するため、モータ３１に生じた熱を冷却する効果を得られる。
【００５０】
さらに、上側流路４２において、上側第１連通路４２１の一部が上側第１消音室４２２の内部に向けて延びることにより、第１拡張型消音器４０１が、内ダクト付き消音器となる。具体的には、第１外側屈曲部６１２の下方かつ第１内側仕切部５３１の上方の空間が内ダクトの役割を果たす。このため、当該空間が、サイドブランチ型消音器（すなわち、干渉型／共鳴型消音器）として機能する。したがって、内ダクトの長さによって、第１拡張型消音器４０１の消音効果を微調整でき、消音性能をより向上できる。また、下側流路４３において、下側第１連通路４３１の一部が下側第１消音室４３２の内部に向けて延びることにより、第１拡張型消音器４０１が、内ダクト付き消音器となる。具体的には、第１外側屈曲部６３２の上方かつ第２内側仕切部５３２の下方の空間が内ダクトの役割を果たす。このため、当該空間が、サイドブランチ型消音器（すなわち、干渉型／共鳴型消音器）として機能する。したがって、内ダクトの長さによって、第１拡張型消音器４０１の消音効果を微調整でき、消音性能をより向上できる。
【００５１】
なお、第１切欠部５４０および第２切欠部５５０を介して気流が流れる中央側の流路を有することにより、モータ配置部４４におけるモータ３１との間の隙間に気流が滞留することが抑制される。さらに、モータモジュール１０の内部におけるモータ３１の周囲を含む吸気口２１１から排気口２１２までの流路において、一定の圧力勾配が形成される。この結果、気流の逆流を防ぐことができる。
【００５２】
また、図４および図８に示すとおり、第１切欠部５４０は、回転軸９の径方向外側に位置し、かつ、回転軸９と軸方向に重ならない。これにより、ファン３２の回転によって発生した気流の周方向の旋回を維持したまま、第１切欠部５４０を介して中央消音室４４４へ気流を進ませることができる。この結果、筐体２０内部の空気の滞留をさらに抑制し、効率良く排気することができる。
【００５３】
また、図８に示すとおり、第１切欠部５４０は、第１筐体７１側の第１中央仕切部５４１および第２筐体７２側の第１中央仕切部５４１のそれぞれにおける、ファン３２の回転方向に沿った上流側、すなわち、ファン３２の回転によって発生した気流の旋回方向の上流側に設けられている。これにより、第１切欠部５４０を介して中央消音室４４４に流れる空気の量が過度に増えることを抑制できる。この結果、モータモジュール１０の内部においてバランス良く空気を流すことができる。
【００５４】
さらに、図４に示すとおり、第２切欠部５５０は、第１中央仕切部５４１を形成している板状の部材の第１切欠部５４０が無い部分と軸方向から見て重なる。すなわち、第２切欠部５５０は、第１切欠部５４０と軸方向から見て重ならない。また、第２切欠部５５０は、第１筐体７１側の第２中央仕切部５４２および第２筐体７２側の第２中央仕切部５４２のそれぞれにおける、ファン３２の回転方向に沿った下流側、すなわち、ファン３２の回転によって発生した気流の旋回方向の下流側に設けられている。これにより、第１切欠部５４０を介して中央消音室４４４へ向かって回転軸９に対して斜めに進んだ気流の流れを維持したまま、さらに第２切欠部５５０を介して第３消音室４４０へ気流を進ませることができる。この結果、筐体２０内部の空気の滞留をさらに抑制し、効率良く排気することができる。
【００５５】
また、図８に示すとおり、第１切欠部５４０は、第１中央仕切部５４１において、平面９０に対して垂直に形成されている。つまり、第１切欠部５４０は、図８の破線ＤＬにて示すような径方向に放射状に延びる形状を有していない。また、第２切欠部５５０は、第２中央仕切部５４２において、平面９０に対して垂直に形成されている。つまり、第２切欠部５５０は、径方向に放射状に延びる形状を有していない。これにより、第１中央仕切部５４１および第２中央仕切部５４２を射出成型により形成する際、第１切欠部５４０および第２切欠部５５０を、径方向に放射状に切り欠く場合と比べて、より容易に加工することができる。
【００５６】
図９は、第１中央仕切部５４１における第１切欠部５４０の有無および位置と、本実施形態のモータモジュール１０を有する掃除機１の吸引力（圧力）および空気力学的動力（仕事量）との関係を解析した結果を示す図である。なお、図９における左側縦軸は、掃除機１の吸引力の解析結果を表している。右側縦軸は、掃除機１の空気力学的動力の解析結果を表している。図９における横軸は、ファン３２の回転によって発生する気流の流量を表している。また、図９におけるＡは、第１切欠部５４０が、第１筐体７１側の第１中央仕切部５４１および第２筐体７２側の第１中央仕切部５４１のそれぞれに設けられる場合の、掃除機１の吸引力を解析した結果である。すなわち、Ａでは、本実施形態と同じ位置に第１切欠部５４０が設けられている。Ｂは、第１中央仕切部５４１に第１切欠部５４０を設けない場合の、掃除機１の吸引力を解析した結果である。また、図９におけるＣは、第１切欠部５４０が、第１筐体７１側の第１中央仕切部５４１および第２筐体７２側の第１中央仕切部５４１のそれぞれに設けられる場合の、掃除機１の空気力学的動力を解析した結果である。すなわち、Ｃでは、本実施形態と同じ位置に第１切欠部５４０が設けられている。Ｄは、第１中央仕切部５４１に第１切欠部５４０を設けない場合の、掃除機１の空気力学的動力を解析した結果である。なお、当該解析において、第２中央仕切部５４２および第２切欠部５５０については、考慮していない。
【００５７】
まず、ＡとＢの解析結果を比較する。図９に示すとおり、ファン３２の回転によって発生する流量が同一の場合において、ＡはＢよりも掃除機１の吸引力が高くなっている。また、同様に、ＣとＤの解析結果を比較すると、同一の流量において、ＣはＤよりも掃除機１の空気力学的動力が高くなっている。上述のとおり、ＡおよびＣでは、ファン３２の回転によって発生した気流の周方向の旋回を維持したまま、第１切欠部５４０を介してさらにモータ配置部４４へ気流を進ませることができる。一方、ＢおよびＤのように、第１切欠部５４０を設けない場合、モータ配置部４４における軸方向一方側の端部は閉じられており、空気の滞留および逆流が発生しやすい。ＡおよびＣでは、筐体２０の内部の空気の滞留および逆流を抑制し、効率良く排気することができる。この結果、ノズル１２から、粉塵分離部１１の内部、吸気口２１１、およびモータモジュール１０の内部を介して排気口２１２から排気される流量が増加する。そして、掃除機１の吸引力、空気力学的動力、さらにノズル１２から気流とともに吸引される粉塵やゴミの量が増加する。
【００５８】
図７に戻る。本実施形態の第２切欠部５５０は、本体部２１の内部における第２中央仕切部５４２と本体部２１の内壁２１０との接続箇所よりも内部側に位置する。上述のとおり、第２中央仕切部５４２は、本体部２１の内壁２１０から内部へ突出している。第２切欠部５５０は、第２中央仕切部５４２の根元の部位までは切り欠かれていない。このように、第２切欠部５５０と本体部２１の内壁２１０との間に壁を残すことで、本体部２１の剛性を維持することができる。すなわち、本体部２１の内壁２１０と第２中央仕切部５４２との接続箇所付近の強度が、第２切欠部５５０により低下することを抑制できる。なお、さらに第１切欠部５４０が、本体部２１の内部における第１中央仕切部５４１と本体部２１の内壁２１０との接続箇所よりも内部側に位置してもよい。
【００５９】
なお、本実施形態の第２切欠部５５０を軸方向に見たときの形状はＵ字状である。これにより、Ｕ字状の第２切欠部５５０の周縁部と本体部２１の内壁２１０との間に壁を残すことができる。この結果、本体部２１の剛性を高めることができる。また、第２中央仕切部５４２において、第２切欠部５５０を容易に形成することができる。さらに、第２切欠部５５０が径方向内側へ向かうにつれて拡がる形状であるため、モータ配置部４４の内部を軸方向他方側へ進む気流を、第２切欠部５５０を介して回転軸９の中心付近に寄せた後、モータ３１の径方向外側に配置された排気口２１２から排出することができる。これにより、気流の流れがより滑らかになることで、モータ配置部４４の内部の圧力を下げることができる。この結果、さらに騒音を抑制できる。なお、第２切欠部５５０の形状は、図７または図８に示す形状に限定されない。例えば、第２切欠部５５０を軸方向から見たときの形状は、Ｖ字状であってもよい。また、さらに第１切欠部５４０を軸方向から見たときの形状が、Ｕ字状またはＶ字状であってもよい。
【００６０】
＜２．変形例＞
以上、本発明の例示的な実施形態について説明したが、本発明は上述の実施形態には限定されない。
【００６１】
上述の実施形態では、排気口２１２は、第３消音室４４０において、筐体２０を構成している第１筐体７１と第２筐体７２をそれぞれ貫通するように１つずつ、合わせて２つ設けられていた。しかし、排気口２１２は、第１筐体７１と第２筐体７２のいずれか一方を貫通するように、すなわち１つのみ設けられてもよく、３つ以上設けられてもよい。
【００６２】
図１０は、一変形例に係る筐体２０Ａの断面図である。図１０に示す筐体２０Ａでは、上側第２消音室４２４Ａおよび下側第２消音室４３４Ａにおいて、それぞれ排気口２１３Ａが設けられている。モータ配置部４４Ａには、排気口が設けられていない。排気口２１３Ａは、筐体２０Ａの内部と外部とを連通する貫通孔である。そして、上側第２消音室４２４Ａおよび下側第２消音室４３４Ａは、それぞれ排気口２１３Ａと直接連通している。なお、本変形例では、排気口２１３Ａは、上側第２消音室４２４Ａおよび下側第２消音室４３４Ａにおいて、それぞれ２つずつ設けられている。ただし、排気口２１３Ａの数は、これに限定されない。
【００６３】
また、第１内側仕切部５３１Ａおよび第２内側仕切部５３２Ａには、それぞれ軸方向他方側の端部付近の少なくとも一部を径方向に貫通する貫通孔が設けられている。当該貫通孔によって、上側第２消音室４２４Ａとモータ配置部４４Ａとを連通する上側第３連通路４４１Ａ、および下側第２消音室４３４Ａとモータ配置部４４Ａとを連通する下側第３連通路４４２Ａが形成されている。モータ配置部４４Ａは、上側第２消音室４２４Ａと上側第３連通路４４１Ａを介して連通する。また、モータ配置部４４Ａは、下側第２消音室４３４Ａと下側第３連通路４４２Ａを介して連通する。さらに、モータ配置部４４Ａは、ファン収容部４１Ａと第１中央仕切部５４１Ａに設けられた第１切欠部５４０Ａを介して連通する。また、モータ配置部４４Ａは、第２中央仕切部５４２Ａによって軸方向に仕切られている。これにより、第２中央仕切部５４２Ａよりも軸方向他方側に第３消音室４４０Ａが形成され、第２中央仕切部５４２Ａよりも軸方向一方側に中央消音室４４４Ａが形成される。第３消音室４４０Ａは、排気口２１３Ａと間接的に連通する。
【００６４】
また、上側第１消音室４２２Ａは、ファン収容部４１Ａと、上側第１連通路４２１Ａを介して連通し、上側第２消音室４２４Ａは、上側第１消音室４２２Ａと、上側第２連通路４２３Ａを介して連通する。下側第１消音室４３２Ａは、ファン収容部４１Ａと、下側第１連通路４３１Ａを介して連通し、下側第２消音室４３４Ａは、下側第１消音室４３２Ａと、下側第２連通路４３３Ａを介して連通する。これにより、ファン（図示省略）の回転によって発生した気流の一部は、上側流路４２Ａにおいて、上側第１連通路４２１Ａ、上側第１消音室４２２Ａ、上側第２連通路４２３Ａ、および上側第２消音室４２４Ａを通って、排気口２１３Ａからモータモジュールの外部へと排出される。また、ファン（図示省略）の回転によって発生した気流の他の一部は、下側流路４３Ａにおいて、下側第１連通路４３１Ａ、下側第１消音室４３２Ａ、下側第２連通路４３３Ａ、および下側第２消音室４３４Ａを通って、排気口２１３Ａからモータモジュールの外部へと排出される。さらに、ファン（図示省略）の回転によって発生した気流の残りの一部は、中央側の流路において、第１切欠部５４０Ａ、中央消音室４４４Ａ、第２切欠部５５０Ａを介して第３消音室４４０Ａに到達する。その後、上側第３連通路４４１Ａを介して上側第２消音室４２４Ａの排気口２１３Ａからモータモジュールの外部へと排出されるか、または下側第３連通路４４２Ａを介して下側第２消音室４３４Ａの排気口２１３Ａからモータモジュールの外部へと排出される。
【００６５】
なお、上側第１消音室４２２Ａの流路断面積は、上側第１連通路４２１Ａの流路断面積よりも大きい。下側第１消音室４３２Ａの流路断面積は、下側第１連通路４３１Ａの流路断面積よりも大きい。これにより、上側第１連通路４２１Ａと上側第１消音室４２２Ａ、および下側第１連通路４３１Ａと下側第１消音室４３２Ａが、それぞれ第１拡張型消音器４０１Ａを構成する。また、上側第２消音室４２４Ａの流路断面積は、上側第２連通路４２３Ａの流路断面積よりも大きい。下側第２消音室４３４Ａの流路断面積は、下側第２連通路４３３Ａの流路断面積よりも大きい。これにより、上側第２連通路４２３Ａと上側第２消音室４２４Ａ、および下側第２連通路４３３Ａと下側第２消音室４３４Ａが、それぞれ第２拡張型消音器４０２Ａを構成する。さらに、中央消音室４４４Ａの流路断面積は、第１切欠部５４０Ａの流路断面積よりも大きい。これにより、第１切欠部５４０Ａと中央消音室４４４Ａが、第３拡張型消音器４０３Ａを構成する。また、第３消音室４４０Ａの流路断面積は、第２切欠部５５０Ａの流路断面積よりも大きい。これにより、第２切欠部５５０Ａと第３消音室４４０Ａが、第４拡張型消音器４０４Ａを構成する。このように、上側流路４２Ａと下側流路４３Ａにおいて、それぞれファンと排気口２１３Ａとの間に２つの拡張型消音器４０１Ａ，４０２Ａが配置される。また、第１切欠部５４０Ａおよび第２切欠部５５０Ａを介して気流が流れる中央側の流路において、ファンと排気口２１３Ａとの間に２つの拡張型消音器４０３Ａ，４０４Ａが配置される。これにより、ファンにおいて発生した広範囲の周波数帯域の騒音を低減できる。また、簡易な構造で、かつモータの配置スペースを利用して、複数の拡張型消音器を構成できるため、騒音を効率良く低減しつつ、部品点数を削減し、コストを抑えることができる。また、組立作業性を向上し、生産効率を高めることができる。
【００６６】
図１１は、他の変形例に係る筐体の本体部２１Ｂの断面図である。図１１に示すとおり、第１中央仕切部５４１Ｂは、第１切欠部５４０Ｂの周縁部から軸方向他方側かつ上方へ向けて突出する第１ガイド部５４３Ｂをさらに有してもよい。本変形例では、第１ガイド部５４３Ｂは、第１切欠部５４０Ｂから第２切欠部５５０Ｂへ向かう方向に突出する。これにより、ファンの回転によって発生した気流の周方向の旋回を維持したまま、第１切欠部５４０Ｂを介して中央消音室４４４Ｂへ向かって、回転軸９Ｂに対して斜めに気流を進ませ、さらに当該流れを維持したまま、第２切欠部５５０Ｂを介して第３消音室４４０Ｂへ気流を誘導することができる。この結果、気流の流れがより滑らかになることで、モータ配置部４４Ｂの内部の圧力を下げることができる。この結果、さらに騒音を抑制できる。なお、第１ガイド部５４３Ｂの位置および形状は、本変形例の位置および形状に限定されない。また、第２中央仕切部５４２Ｂにおいて、第２切欠部５５０Ｂの周縁部から軸方向他方側へ向けて突出する第２ガイド部（図示省略）がさらに設けられてもよい。
【００６７】
上述の実施形態および変形例では、ファンが遠心ファンであったが、本発明はこれに限定されない。例えば、本発明のモータモジュールおよび掃除機に用いられるファンは、斜流ファンであってもよい。
【００６８】
上述の実施形態および変形例では、ファンの下流側において、流路が上側、下側、および中央側に分岐したが、本発明はこれに限定されない。ファンの下流側において、流路は１つであってもよい。その場合、流路は、モータの外側において周方向に繋がる環状の流路であってもよい。また、ファンの下流側において、流路は４つ以上に分岐してもよい。
【００６９】
上述の実施形態および変形例では、仕切部は、上側流路、下側流路、および中央側の流路において、合わせて２つの内側仕切部、２つの中央仕切部および４つの外側仕切部を有していた。しかし、仕切部の数は、これに限定されない。仕切部の数は、１つであってもよく、２つ以上のいかなる数であってもよい。
【００７０】
上述の実施形態および変形例では、上側第１連通路および上側第２連通路は、それぞれ本体部の内壁に沿って配置されていた。また、下側第１連通路および下側第２連通路は、それぞれ本体部の内壁に沿って配置されていた。しかし、例えば、上側第２連通路および下側第２連通路は、内側仕切部に沿って配置されてもよい。つまり、第２外側仕切部は、第１外側仕切部の軸方向他方側かつ壁部の軸方向一方側において、本体部の内壁の一部から、径方向内側かつ軸方向他方側に延びてもよい。これにより、上側第１連通路と上側第２連通路とは、軸方向に見て異なる位置に配置される。また、下側第１連通路と下側第２連通路とは、軸方向に見て異なる位置に配置される。このように、上側流路と下側流路において、それぞれ第１連通路と第２連通路との軸方向の位置をずらすことにより、第１連通路および第１消音室により構成される第１拡張型消音器の消音効果を向上できる。すなわち、モータモジュール全体として、消音効果を重視した設計となる。
【００７１】
上述の実施形態および変形例では、第１外側仕切部は、第１外側板部と第１外側屈曲部とを有していた。しかし、第１外側仕切部は、第１外側板部のみを有してもよい。
【００７２】
上述の実施形態の掃除機は、ハンディ型の掃除機であったが、本発明はこれに限定されない。本発明のモータモジュールは、ハンディ型と同様、吸気ヘッドおよび粉塵分離部を介して吸気口へ気体を吸引するとともに、当該気体を排気口から排出する、アップライト型またはスティック型の掃除機に搭載されてもよい。
【００７３】
また、本発明のモータモジュールは、いわゆるキャニスタ型の掃除機に搭載されてもよい。キャニスタ型の掃除機は、吸気ヘッドおよび粉塵分離部に加えて、吸気ヘッドと粉塵分離部とを繋ぐホース部を有する。モータモジュールは、吸気ヘッド、ホース部および粉塵分離部を介して吸気口へと気体を吸引するとともに、当該気体を排気口から排出する。
【００７４】
また、各部材の細部の形状については、本願の各図に示された形状と、相違していてもよい。例えば、吸気口、排気口および仕切部の各部の形状が、上述の実施形態および変形例と異なっていてもよい。また、上述の各要素を、矛盾が生じない範囲で、適宜に組み合わせてもよい。
【産業上の利用可能性】
【００７５】
本発明は、モータモジュールおよび掃除機に利用できる。
【符号の説明】
【００７６】
１  掃除機
９，９Ｂ  回転軸
１０  モータモジュール
１１  粉塵分離部
１２  ノズル
２０，２０Ａ  筐体
２１，２１Ｂ  本体部
２２  取っ手部
２３  充電池収容部
２４  連結部材
３１  モータ
３２  ファン
３３  充電池
４０  流路
４１，４１Ａ  ファン収容部
４２，４２Ａ  上側流路
４３，４３Ａ  下側流路
４４，４４Ａ，４４Ｂ  モータ配置部
５０  壁部
５１  上側壁部
５２  下側壁部
５３  内側仕切部
５４  中央仕切部
６０  仕切部
６１  第１外側仕切部
６２  第２外側仕切部
６３  第１外側仕切部
６４  第２外側仕切部
７１  第１筐体
７２  第２筐体
９０  平面
２１０  内壁
２１１  吸気口
２１２  排気口
２１３Ａ  排気口
２２１  取っ手穴
２２２  把持部
４０１，４０１Ａ  第１拡張型消音器
４０２，４０２Ａ  第２拡張型消音器
４０３，４０３Ａ  第３拡張型消音器
４０４，４０４Ａ  第４拡張型消音器
４０５  第５拡張型消音器
４２１，４２１Ａ  上側第１連通路
４２２，４２２Ａ  上側第１消音室
４２３，４２３Ａ  上側第２連通路
４２４，４２４Ａ  上側第２消音室
４３１，４３１Ａ  下側第１連通路
４３２，４３２Ａ  下側第１消音室
４３３，４３３Ａ  下側第２連通路
４３４，４３４Ａ  下側第２消音室
４４０，４４０Ａ，４４０Ｂ  第３消音室
４４１，４４１Ａ  上側第３連通路
４４２，４４２Ａ  下側第３連通路
５３１，５３１Ａ  第１内側仕切部
５３２，５３２Ａ  第２内側仕切部
５４０，５４０Ａ，５４０Ｂ  第１切欠部
５４１，５４１Ａ，５４１Ｂ  第１中央仕切部
５４２，５４２Ａ，５４２Ｂ  第２中央仕切部
５４３Ｂ  第１ガイド部
５５０，５５０Ａ，５５０Ｂ  第２切欠部
６１１  第１外側板部
６１２  第１外側屈曲部
６３１  第１外側板部
６３２  第１外側屈曲部
７１０  接触面
７１１  第１凸部
７２１  第１凹部
ＤＬ  破線
【図１】
2019044724.tif 000003
【図２】
2019044724.tif 000004
【図３】
2019044724.tif 000005
【図４】
2019044724.tif 000006
【図５】
2019044724.tif 000007
【図６】
2019044724.tif 000008
【図７】
2019044724.tif 000009
【図８】
2019044724.tif 000010
【図９】
2019044724.tif 000011
【図１０】
2019044724.tif 000012
【図１１】
2019044724.tif 000013